(57)【特許請求の範囲】
【請求項１】
家具等の本体に固定される固定側レールと、固定側レールに対し摺動自在に配設された移動側レールと、固定側レールに保持された移動側レール保持部材よりなるスライドレールが互いに上下方向に離れて水平に設けられると共に、上下の移動側レールの前端に、蝶番を介して鉛直方向を回転軸に回動自在に扉が取付けられ、前記移動側レール保持部材は、移動側レールの摺動方向と交差する方向に、移動側レールの摺動によって弾性的に変移する係止部を有し、移動側レールには、移動側レールが固定側レールに対し最も前方に摺動した位置で係止部と係止する被係止部が形成され、係止部と被係止部は、所定の摺動力で係止状態が解除されるよう構成されている事を特徴とするスライドレール。
【請求項２】
家具等の本体に固定される固定側レールと、固定側レールに対し摺動自在に配設された移動側レールと、固定側レールに保持された移動側レール保持部材よりなるスライドレールが互いに上下方向に離れて水平に設けられると共に、上下の移動側レールの前端に、蝶番を介して鉛直方向を回転軸に回動自在に扉が取付けられ、前記移動側レール保持部材は、移動側レールの摺動方向と交差する方向に、移動側レールの摺動によって弾性的に変移する係止部を有し、移動側レールには、移動側レールが固定側レールに対し最も前方に摺動した位置で係止部と係止する被係止部が形成され、係止部と被係止部は、所定の摺動力で係止状態が解除されるよう、少なくともいずれか一方に傾斜面が形成されている事を特徴とするスライドレール。
【請求項３】
家具等の本体に固定される固定側レールと、固定側レールに対し摺動自在に配設された移動側レールと、固定側レールに保持された移動側レール保持部材よりなるスライドレールが互いに上下方向に離れて水平に設けられると共に、上下の移動側レールの前端に、蝶番を介して鉛直方向を回転軸に回動自在に扉が取付けられ、前記移動側レール保持部材は、係止孔と、移動側レールの摺動方向と交差する方向に、移動側レールの摺動によって係止孔を弾性的に変移させる案内傾斜部を有し、移動側レールには、移動側レールが固定側レールに対し最も前方に摺動した位置で係止孔と係止する係止突部が形成され、係止孔と係止突部は所定の摺動力で係止状態が解除されるよう、係止突部の係止側に傾斜面が形成されている事を特徴とするスライドレール。
【請求項４】
家具等の本体に固定される固定側レールと、固定側レールに対し摺動自在に配設された移動側レールと、固定側レールに保持された移動側レール保持部材よりなるスライドレールが互いに上下方向に離れて水平に設けられると共に、上下の移動側レールの前端に、蝶番を介して鉛直方向を回転軸に回動自在に扉が取付けられ、前記移動側レール保持部材は、係止突部と、移動側レールの摺動方向と交差する方向に、移動側レールの摺動によって係止突部を弾性的に変移させる案内傾斜部を有し、移動側レールには、移動側レールが固定側レールに対し最も前方に摺動した位置で前記係止突部と係止する係止孔が形成され、係止孔と係止突部は所定の摺動力で係止状態が解除されるよう、係止突部の係止側に傾斜面が形成されている事を特徴とするスライドレール。
【請求項５】
家具等の本体に固定される固定側レールと、固定側レールに対し摺動自在に配設された移動側レールよりなるスライドレールが互いに上下方向に離れて水平に設けられると共に、上下の移動側レールの前端に、蝶番を介して鉛直方向を回転軸に回動自在に扉が取付けられ、前記固定側レールには、係止部が設けられ、前記移動側レールには、移動側レールが最も前方に摺動した状態で係止部と係止する被係止部が設けられ、係止部と被係止部は、所定の摺動力で係止状態が解除されるよう構成されている事を特徴とするスライドレール。
【発明の詳細な説明】
【０００１】
【産業上の利用分野】
本発明は、家具本体の内面に取付られ、移動側レールに蝶番を介して扉が開閉自在に取付られるスライドレールに関するものである。
【０００２】
【従来の技術】
従来、扉を開放した後、家具本体の側板内面の空間部に扉を収納するようにした家具等に使用されるスライドレールは、移動側レールと固定側レールからなり、側板内面上下端部に平行して固定側レールを固定し、これに摺動自在とした移動側レールを上下連結補強材で連結し、移動側レールに蝶番等を介して開閉自在に扉を連結した構成であった。そのため、移動側レールを同期的に移動させる上下補強部材は非常に縦長となるため十分な効果を得る事は困難で、そのため、扉を開いた状態では、扉の重心は、スライドレールの前方に位置するので、常に下側の移動側レールには収納方向に、上側のレールには引き出し方向に扉の荷重が負荷され、下側の移動側レールは若干後方に移動する事となり、開放された扉は、扉の下部が常に家具本体側に収納された傾斜状態となっていた。
【０００３】
よって、開放された扉を常に前方に引き出すように操作しながら、扉を閉鎖しなければ、扉の下部が家具本体の一部に接触し、スムースに閉鎖する事ができないばかりか、家具を傷付けたり、スライドレールあるいは蝶番を破損させたりする恐れがあった。
【０００４】
【発明が解決しようとする課題】
本発明は、上記欠点を解決する事を課題とし、簡単な構造で取付が容易で生産性に優れ、安価に製作でき、扉の開閉、収納引き出しが容易に行えるスライドレールを提供する事を目的とする。
【０００５】
【課題を解決する為の手段】
上記課題を解決する為、本発明が手段とする第１の特徴は、家具等の本体に固定される固定側レールと、固定側レールに対し摺動自在に配設された移動側レールと、固定側レールに保持された移動側レール保持部材よりなるスライドレールが互いに上下方向に離れて水平に設けられると共に、上下の移動側レールの前端に、蝶番を介して鉛直方向を回転軸に回動自在に扉が取付けられ、前記移動側レール保持部材は、移動側レールの摺動方向と交差する方向に、移動側レールの摺動によって弾性的に変移する係止部を有し、移動側レールには、移動側レールが固定側レールに対し最も前方に摺動した位置で係止部と係止する被係止部が形成され、係止部と被係止部は、所定の摺動力で係止状態が解除されるよう構成されているものである。
【０００６】
次に本発明が手段とする第２の特徴は、家具等の本体に固定される固定側レールと、固定側レールに対し摺動自在に配設された移動側レールと、固定側レールに保持された移動側レール保持部材よりなるスライドレールが互いに上下方向に離れて水平に設けられると共に、上下の移動側レールの前端に、蝶番を介して鉛直方向を回転軸に回動自在に扉が取付けられ、前記移動側レール保持部材は、移動側レールの摺動方向と交差する方向に、移動側レールの摺動によって弾性的に変移する係止部を有し、移動側レールには、移動側レールが固定側レールに対し最も前方に摺動した位置で係止部と係止する被係止部が形成され、係止部と被係止部は所定の摺動力で係止状態が解除されるよう、少なくともいずれか一方に傾斜面が形成されているものである。
【０００７】
次に、本発明が手段とする第３の特徴は、家具等の本体に固定される固定側レールと、固定側レールに対し摺動自在に配設された移動側レールと、固定側レールに保持された移動側レール保持部材よりなるスライドレールが互いに上下方向に離れて水平に設けられると共に、上下の移動側レールの前端に、蝶番を介して鉛直方向を回転軸に回動自在に扉が取付けられ、前記移動側レール保持部材は、係止孔と、移動側レールの摺動方向と交差する方向に、移動側レールの摺動によって係止孔を弾性的に変移させる案内傾斜部を有し、移動側レールには、移動側レールが固定側レールに対し最も前方に摺動した位置で係止孔と係止する係止突部が形成され、係止孔と係止突部は所定の摺動力で係止状態が解除されるよう、係止突部の係止側に傾斜面が形成されているものである。
【０００８】
次に、本発明が手段とする第４の特徴は、家具等の本体に固定される固定側レールと、固定側レールに対し摺動自在に配設された移動側レールと、固定側レールに保持された移動側レール保持部材よりなるスライドレールが互いに上下方向に離れて水平に設けられると共に、上下の移動側レールの前端に、蝶番を介して鉛直方向を回転軸に回動自在に扉が取付けられ、前記移動側レール保持部材は、係止突部と、移動側レールの摺動方向と交差する方向に、移動側レールの摺動によって係止突部を弾性的に変移させる案内傾斜部を有し、移動側レールには、移動側レールが固定側レールに対し最も前方に摺動した位置で前記係止突部と係止する係止孔が形成され、係止孔と係止突部は所定の摺動力で係止状態が解除されるよう、係止突部の係止側に傾斜面が形成されているものである。
【０００９】
さらに、本発明が手段とする第５の特徴は、家具等の本体に固定される固定側レールと、固定側レールに対し摺動自在に配設された移動側レールよりなるスライドレールが互いに上下方向に離れて水平に設けられると共に、上下の移動側レールの前端に、蝶番を介して鉛直方向を回転軸に回動自在に扉が取付けられ、前記固定側レールには、係止部が設けられ、前記移動側レールには、移動側レールが最も前方に摺動した状態で係止部と係止する被係止部が設けられ、係止部と被係止部は、所定の摺動力で係止状態が解除されるよう構成されているものである。
【００１０】
【発明の実施の形態】
家具等の本体に固定される固定側レールと、固定側レールに対し摺動自在に配設された移動側レールと、固定側レールに保持された移動側レール保持部材よりなるスライドレールが互いに上下方向に離れて水平に設けられると共に、上下の移動側レールの前端に、蝶番を介して鉛直方向を回転軸に回動自在に扉が取付けられ、前記移動側レール保持部材は、係止孔と、移動側レールの摺動方向と交差する方向に、移動側レールの摺動によって係止孔を弾性的に変移させる案内傾斜部を有し、移動側レールには、移動側レールが固定側レールに対し最も前方に摺動した位置で係止孔と係止する係止突部が形成され、係止孔と係止突部は所定の摺動力で係止状態が解除されるよう、係止突部の係止側に傾斜面が形成されているものである。
【００１１】
【実施例】
本発明の第１実施例を図面（図１〜図５）に基づいて説明する。
図１において、符号１０は家具本体の側板を示し、符号１０１は、側板１０から所定寸法内側に位置して、側板１０間に扉収納空間１０２を形成する内側板を示し、符号１０３は、側板１０の内面上下端部に前後方向に平行に配設された下側のスライドレール１００の移動側レール２に兆番１０４を介して開閉自在に取付られた扉を示している。符号１０５は上下のスライドレール１００、１００の移動側レール２，２を同期的に移動させる目的で、移動側レール２、２と連結された上下連結補強材を示している。符号４は側板１０の内面に連結されたスライドレール１００の固定側レール１の前端部内面に設けられた移動側レール保持部材を示している。
【００１２】
すなわち、扉１０３は閉鎖状態から、図１において、蝶番１０４にて扉の右側端部が前方に持ち出されながら、ほぼ９０度回動して開放状態となる。
この状態で、前記したように、扉の重心は、スライドレール１００の前方に位置するので、常に下側の移動側レール２には収納方向（後方）に、上側の移動側レール２には引き出し方向（前方）に扉の荷重が負荷されるが、移動側レール保持部材４を有する本発明のスライドレール１００は、常に上下の移動側レール２、２は同位置を維持し、扉１０３の収納動作によって蝶番１０４と共に、扉収納空間１０２内に収納される。
【００１３】
スライドレール１００は、家具等の本体側に連結される固定側レール１と、固定側レール１に対し、ボール保持板３に回転自在に保持された複数個のボール３０・・・を介して摺動自在に設けられた移動側レール２と、固定側レール１の前端部内面に設けられ、移動側レール２が最も前方に移動した状態を維持する移動側レール保持部材４より構成されている。
【００１４】
固定側レール１は、金属製の細長条板の短手両端部を内向き円弧状に折り曲げて形成された内面長手方向（摺動方向）にボール案内溝を有する折曲縁１１、１１と、基板１２より断面略Ｃ字形をなし、摺動方向前後端部に、基板１２が移動側レール２方向に突出する移動側レール前端ストッパー１３と、移動側レール後端ストッパー（図示せず。）を有し、移動側レール前端ストッパー１３の内面と基板１２の内面にわたって係止部４０を有する移動側レール保持部材４がもうけられている。
符号１４は家具本体等に固定側レール１を連結するための連結孔、符号１５は移動側レール保持部材４を連結するための取付孔を示している。
【００１５】
移動側レール２は、扉１０３が扉収納空間１０２内に収納可能なよう、固定側レール１に対し摺動可能な長さで、金属製の細長条板の短手両端部を外向き円弧状に折り曲げて形成された外面長手方向（摺動方向）にボール案内溝を有する折曲縁２１、２１と、前部に蝶番１０４の取付孔（図示せず。）を有する基板２２より固定側レール１に対向する断面略Ｃ字形に形成されている。
そして、基板２２の前端が前記固定側レール１の移動側レール保持部材４の一部と、折曲縁２１、２１の後端が移動側レール後端ストッパー（図示せず。）に当接して摺動範囲が規制されている。
又、基板２２の前端部には、前記移動側レール保持部材４の係止部４０に対応して被係止部５が形成されている。
【００１６】
ボール保持板３は帯条金属板にて移動側レール２の２倍強の長さとし、固定側レール１と移動側レール２間に挿入可能な大きさの基板３１と、固定側レール１と移動側レール２の各折曲縁１１、１１、２１、２１間に位置する突出縁３２、３２より断面略コ字形に形成され、突出縁３２、３２の長手方向（摺動方向）数個所でボール３０・・・を回転自在に保持している。
【００１７】
第１実施例の移動側保持部材４は、適度な弾性を有する合成樹脂材より中央部分に変移用間隙４００を有して、全体がくの字形に形成されており、固定側レール１の基板１１の前端内面にリベット４０１にて取付られる、取付孔４１を有する連結基板４２と、連結基板４２の前端に連設されて、移動側レール前端ストッパー１３間に緩衝間隙１３０が形成され、上端内面に移動側レールストッパー面４３を有する起立回動部４４と、移動側レールストッパー面４３の下側で起立回動部４４の後方に突出して連設され、後端に後端部が連結基板４２方向に傾斜する案内傾斜部４５が形成された移動突部４６と、移動突部４６の中央部に形成された係止孔（係止部）４０より形成されている。
【００１８】
案内傾斜部４４は、移動側レール２が固定側レール１の前端部に移動して接近した時、移動側レール２の基板２２の前端が表面中央部に当接する箇所に位置しており、移動側レール２の前方への移動にともなって、移動突部４６は連結基板４２側に押しやられ、係止孔（係止部）４０を連結基板４２側に変移させる。
【００１９】
移動側レール２の基板２２の前端部には、移動側レール２が固定側レール１に対し最も前方に摺動した位置（基板２２の前端が前記移動側レール保持部材４の移動側レールストッパー面４３に当接した状態）で、前記係止孔（係止部）４０に係止する係止突部（被係止部）５が形成され、係止突部（被係止部）５の係止側には、移動側レール２の後方に向かって所定の摺動力を負荷した時、係止孔（係止部）４０を連結基板４２側に変移させる、係止突部（被係止部）５と係止孔（係止部）４０の係止状態を解除する傾斜面５１と、係止突部（被係止部）５の前側には、前記移動側レール保持部材４の案内傾斜部４４に対応して、係止孔（係止部）４０を連結基板４２側にスムースに変移させる係止案内面５２が形成されている。
【００２０】
第１実施例は上記の如く構成され、図４の仮想線に示す状態から移動側レール２を前方に移動させると（扉１０３を扉収納空間１０２からさらに引き出していくと）、移動側レール２の基板２２の前端が移動側レール保持部材４の案内傾斜部４４に接触しながら、移動突部４６を連結基板４２側に押しやり、次に、移動突部４６の後端上面に係止案内面５２が接触して、さらに移動突部４６を連結基板４２側に押しやり、基板２の前端２２が移動側レールストッパー面４３に当接すると同時に、係止突部（被係止部）５が係止孔（係止部）４０上に一致し、すると、移動突部４６は起立回動部４４の弾性によって、初期状態に復帰して、係止部（係止孔）４０は被係止部（係止突部）５に係止する。（図３に示す状態。）
【００２１】
この状態で、扉１０３は扉収納空間１０２から最も引き出された開放姿勢となるが、扉１０３の荷重が、下側の移動側レール２を後方（扉１０３を扉収納空間１０２に収納する方向）に押しやるよう負荷されても、係止孔（係止部）４０と係止突部（被係止部）５が係止しているので、移動側レール２は不測に移動せず、したがって、扉１０３は傾斜状態とならず、扉１０３を閉鎖させるのに何ら支障をきたす事はない。
又、扉１０３を扉収納空間１０２から最も引き出した時（移動側レール２が移動側レール保持部材４の移動側レールストッパー面４３に当接した時）、起立回動部４４と、移動側レール前端ストッパー１３間に緩衝間隙１３０を形成しているので、これが、起立回動部４４の弾性と共働して緩衝材の効果をもたらし、衝突音の発生を防止すると共に、扉１０３の引き出し時の衝撃を緩和する。
【００２２】
次に、図３に示す扉１０３が最も引き出された状態から、下側の移動側レール２に負荷される扉１０３の荷重以上に、扉１０３（移動側レール２）を扉収納空間１０２に押し込む方向に力を加えると、被係止部（係止突部）５の傾斜面５１は、弾性に抗して移動突部４６を連結基板４２側に押しやりながら、被係止部（係止突部）５は係止部（係止孔）４０を乗り越えて（図４に示す状態）、移動側レール２は後方に移動する。（扉１０３は扉収納空間１０２に移動する。）
そして、移動側レール２の折曲縁２１、２１は、やがて固定側レール１の移動側レール後端ストッパー（図示せず。）に当接して停止する。（扉１０３は扉収納空間１０３に収納される。
この時、スライドレール１００の後端部を前端部に対向して同様の構成にしておけば、収納された扉１０３は家具本体前方に多少傾いていても不用意に飛び出す恐れはない。
【００２３】
次に、本発明の第２実施例を図６〜図９に基づいて説明する。
スライドレール１００の固定側レール１と移動側レール２とボール保持板３等は第１実施例と同じに構成されているのでその説明は省略する。
第２実施例の移動側保持部材４は、適度な弾性を有する板バネ材より中央部分に変移用間隙４００を有して、全体がコ字形に形成されており、固定側レール１の基板１１の前端内面にリベット４０１にて取付られる、取付孔４１を有する連結基板４２と、連結基板４２の前端に連設された起立回動部４４と、起立回動部４４の後方に突出して連設され、後端に後端部が連結基板４２方向に傾斜する案内傾斜部４５が形成された移動突部４６と、移動突部４６の中央部に形成された係止孔（係止部）４０より形成されている。
【００２４】
案内傾斜部４４は、移動側レール２が固定側レール１の前端部に移動して接近した時、移動側レール２の基板２２の前端が表面中央部に当接する箇所に位置しており、移動側レール２の前方への移動にともなって、移動突部４６は連結基板４２側に押しやられ、係止孔（係止部）４０を連結基板４２側に変移させる。
【００２５】
移動側レール２の基板２２の前端部には、移動側レール２が固定側レール１に対し最も前方に摺動した位置（基板２２の折曲縁２１、２１の前端が前記固定側レール１の移動側レール前端ストッパー１３に当接した状態）で、前記係止孔（係止部）４０に係止する係止突部（被係止部）５が形成され、係止突部（被係止部）５の係止側には、移動側レール２の後方に向かって所定の摺動力を負荷した時、係止孔（係止部）４０を連結基板４２側に変移させる、係止突部（被係止部）５と係止孔（係止部）４０の係止状態を解除する傾斜面５１と、係止突部（被係止部）５の前側には、前記移動側レール保持部材４の案内傾斜部４４に対応して、係止孔（係止部）４０を連結基板４２側にスムースに変移させる係止案内面５２が形成されている。
【００２６】
第２実施例は、上記の如く構成されており、第１実施例と同様の作用で、移動側レール２の折曲縁２２、２２が移動側レール前端ストッパー１３に当接した状態で、係止突部（被係止部）５は係止孔（係止部）４０に係止し、下側の移動側レールに２負荷される扉１０３の荷重以上に、扉１０３（移動側レール２）を扉収納空間１０２に押し込む方向に力を加えると、係止突部（被係止部）５と係止孔（係止部）４の係止状態は解除される。
【００２７】
次に、本発明の第３実施例を図１０〜図１３に基づいて説明する。
スライドレール１００の固定側レール１と移動側レール２とボール保持板３等は第１実施例と同じに構成されているのでその説明は省略する。
第３実施例の移動側保持部材４は、適度な弾性を有する合成樹脂材より中央部分に変移用間隙４００を有して、全体がくの字形に形成されており、固定側レール１の基板１１の前端内面にリベット４０１にて取付られる、取付孔４１を有する連結基板４２と、連結基板４２の前端に連設されて、移動側レール前端ストッパー１３間に緩衝間隙１３０が形成され、上端内面に移動側レールストッパー面４３を有する起立回動部４４と、移動側レールストッパー面４３の下側で起立回動部４４の後方に突出して連設され、後端に後端部が連結基板４２方向に傾斜する案内傾斜部４５が形成された移動突部４６と、移動突部４６の中央部に形成された係止突部（係止部）６０より構成されている。
そして、係止突部（係止部）６０の係止側には、移動側レール２に後方に向かう所定の摺動力を負荷した時、係止突部（係止部）６０を連結基板４２側に変移させて、係止突部（係止部）６０の係止状態を解除する傾斜面６１が形成されている。
【００２８】
移動側レール２の基板２２の前端部には、移動側レール２が固定側レール１に対し最も前方に摺動した位置（基板２２の前端が前記移動側レール保持部材４の移動側レールストッパー面４３に当接した状態）で、前記係止突部（係止部）６０が係止する係止孔（被係止部）７０が形成されている。
【００２９】
第３実施例は上記の如く構成され、図１２の仮想線に示す状態から、移動側レール２を前方に移動させると、移動側レール２の基板２２の前端が移動側レール保持部材４の案内傾斜部４４に接触しながら、移動突部４６（係止突部４０）を連結基板４２側に押しやり、基板２２の前端が移動側レールストッパー面４３に当接すると同時に、係止突部（係止部）６０が係止孔（被係止部）７０に一致する、すると、移動突部４６は起立回動部４４の弾性によって、初期状態に復帰し、係止部（係止突部）６０は被係止部（係止孔）７０に係止する。（図１１に示す状態。）
【００３０】
この状態で、扉１０３は扉収納空間１０２から最も引き出された開放姿勢となるが、扉１０３の荷重が、下側の移動側レール２を後方（扉１０３を扉収納空間１０２に収納する方向）に押しやるよう負荷されても、係止突部（係止部）６０と係止孔（被係止部）７０が係止しているので、移動側レール２は不測に移動せず、したがって、扉１０３は傾斜状態とならず、扉１０３を閉鎖させるのに何ら支障をきたす事はない。
又、扉１０３を扉収納空間１０２から最も引き出した時（移動側レール２が移動側レール保持部材４の移動側レールストッパー面４３に当接した時）、起立回動部４４と、移動側レール前端ストッパー１３間に緩衝間隙１３０を形成しているので、これが、起立回動部４４の弾性と共働して緩衝材の効果をもたらし、衝突音の発生を防止すると共に、扉１０３の引き出し時の衝撃を緩和する。
【００３１】
次に、第１実施例と同様、下側の移動側レール２に負荷される扉の荷重以上に、扉を扉収納空間に押し込む方向に力を加えると（図１１において、移動側レール２を上方に移動させる方向に力を加えると）、被係止部（係止孔）７０の前端面は、係止部（係止突部）６０の傾斜面６１を、弾性に抗して連結基板４２側に押しやりながら、係止部（係止突部）７０を乗り越えて（図１２仮想線に示す状態）移動側レール２は後方に移動する。
そして、移動側レール２の折曲縁２１、２１は、やがて固定側レール１の移動側レール後端ストッパー（図示せず。）に当接して停止する。この時、第１実施例同様、スライドレール１００の後端部を前端部に対向して同様の構成にしておけば、家具本体が多少前方に傾いていても収納された扉１０３は不用意に飛び出す恐れはない。
【００３２】
【発明の効果】
（１）特許請求の範囲の請求項１に記載の発明によれば、固定側レールにもうけられる移動側レール保持部材は、移動側レールの摺動方向と交差する方向に、移動側レールの摺動によって弾性的に変移する係止部を有し、移動側レールには、移動側レールが固定側レールに対し最も前方に摺動した位置で係止部と係止する被係止部が形成され、係止部と被係止部は、所定の摺動力で係止状態が解除されるよう構成されているので、扉の荷重がスライドレールに負荷されても、扉が傾斜する事がなく、移動側レールが移動しないので、扉の閉鎖時、家具を傷付けたりする恐れがなく、開閉動作をスムースに行う事が出来る。
又、固定側レールに係止部を有する移動側レール保持部材を取付、移動側レールに被係止部をもうけるだけの簡単な構成であるから、生産性に優れ、安価に製作できる。
【００３３】
（２）特許請求の範囲の請求項２に記載の発明によれば、前記（１）の効果に加え、係止部と被係止部は所定の摺動力で係止状態が解除されるよう、少なくともいずれか一方に傾斜面が形成されているので、係止部と被係止部の係止状態の解除に特別な操作を必要としないので、扉の収納空間内への移動に慣れを必要とせず使い勝手に優れている。
【００３４】
（３）特許請求の範囲の請求項３に記載の発明によれば、前記（１）の効果に加え、移動側レール保持部材に、係止孔と、移動側レールの摺動方向と交差する方向に、移動側レールの摺動によって係止孔を弾性的に変移させる案内傾斜部を設け、移動側レールには、移動側レールが固定側レールに対し最も前方に摺動した位置で係止孔と係止する係止突部が形成され、係止孔と係止突部は所定の摺動力で係止状態が解除されるよう、係止突部の係止側に傾斜面が形成されているので、移動側レールを前方に摺動させている時と、係止孔が係止突部に係止する時（扉を扉収納空間から引き出す途中と引き出しが終了した時）の操作に特別な違和感が発生せず、操作を連続してスムースに行う事が出来る。
【００３５】
（４）特許請求の範囲の請求項４に記載の発明によれば、移動側レール保持部材に係止突部と、移動側レールの摺動方向と交差する方向に、移動側レールの摺動によって係止突部を弾性的に変移させる案内傾斜部を設け、移動側レールに、移動側レールが固定側レールに対し最も前方に摺動した位置で前記係止突部と係止する係止孔を設け、係止孔と係止突部は所定の摺動力で係止状態が解除されるよう、係止突部の係止側に傾斜面を設けているので、前記（１）〜（３）に記載した効果を有する。
【００３６】
（５）特許請求の範囲の請求項５の記載の発明によれば、固定側レールに係止部を設け、移動側レールに、移動側レールが最も前方に摺動した位置で係止部と係止する被係止部を設け、係止部と被係止部は、所定の摺動力で係止状態が解除されるよう構成しているので、扉の荷重がスライドレールに負荷されても、扉が傾斜する事がなく、移動側レールが移動しないので、扉の閉鎖時、家具を傷付けたりすることがなく、開閉動作をスムースに行う事が出来る。
【図面の簡単な説明】
【図１】  家具等に本発明の第１実施例を使用した状態の断面図である。
【図２】  本発明の第１実施例の正面図である。
【図３】  図２のＡーＡ線一部断面図である。
【図４】  本発明の第１実施例の移動側レール保持部材の係止部と移動側レールの被係止部の係止状態が解除された状態を示す拡大断面図である。
【図５】  本発明の第１実施例の移動側レール保持部材の斜視図である。
【図６】  本発明の第２実施例の正面図である。
【図７】  図６のＡーＡ線一部断面図である。
【図８】  本発明の第２実施例の移動側レール保持部材の係止部と移動側レールの被係止部の係止状態が解除された状態を示す拡大断面図である。
【図９】  本発明の第２実施例の移動側レール保持部材の斜視図である。
【図１０】  本発明の第３実施例の正面図である。
【図１１】  図１０のＡーＡ線一部断面図である。
【図１２】  本発明の第３実施例の移動側レール保持部材の係止部と移動側レールの被係止部の係止状態が解除された状態を示す拡大断面図である。
【符号の説明】
１                        固定側レール
１２                      基板
１３                      移動側レール前端ストッパー
１００                    スライドレール
２                        移動側レール
２２                      基板
４                        移動側レール保持部材
４０                      係止部（係止孔）
４５                      案内傾斜部
５                        被係止部（係止突部）
５１                      傾斜面
５２                      案内傾斜面
６０                      係止部（係止突部）
６１                      傾斜面
７０                      被係止部（係止孔）
【図１】
0003673408.tif 000002
【図２】
0003673408.tif 000003
【図３】
0003673408.tif 000004
【図４】
0003673408.tif 000005
【図５】
0003673408.tif 000006
【図６】
0003673408.tif 000007
【図７】
0003673408.tif 000008
【図８】
0003673408.tif 000009
【図９】
0003673408.tif 000010
【図１０】
0003673408.tif 000011
【図１１】
0003673408.tif 000012
【図１２】
0003673408.tif 000013